(57)【特許請求の範囲】
【請求項１】
複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信手段と、
前記指示に示された送信先端末装置を前記送信先として設定する設定手段と、を含む管理装置。
【請求項２】
請求項１に記載の管理装置において、
前記複数の端末装置の各々のデータ通信量を測定する測定装置から、前記各々のデータ通信量を取得し、前記各々のデータ通信量の総計を求める処理手段をさらに含む、管理装置。
【請求項３】
請求項１または２に記載の管理装置と、
前記指示を前記管理装置に送信する、前記複数の端末装置と異なる端末装置と、を含む通信システム。
【請求項４】
管理装置が行う送信先設定方法であって、
複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信ステップと、
前記指示に示された送信先端末装置を前記送信先として設定する設定ステップと、を含む送信先設定方法。
【請求項５】
コンピュータに、
複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信手順と、
前記指示に示された送信先端末装置を前記送信先として設定する設定手順とを、前記コンピュータに実行させるためのプログラム。
【発明の詳細な説明】
【技術分野】
【０００１】
本発明は、管理装置、端末装置、通信システム、送信先設定方法、送信先設定支援方法およびプログラムに関し、特には、複数の端末装置に設定された電話番号を宛先とする呼または情報の送信先として、複数の端末装置のいずれかを設定する管理装置、端末装置、通信システム、送信先設定方法、送信先設定支援方法およびプログラムに関する。
【背景技術】
【０００２】
携帯電話機能を有する複数種類のモバイル端末が知られている。例えば、携帯に適した小型の携帯電話機や、インターネットを利用した閲覧に適した画面の大きいタブレット型の端末が知られている。
【０００３】
このため、複数種類のモバイル端末を所有し、利用シーンに応じてモバイル端末を使い分けたいというユーザーの要求が考えられる。しかしながら、この場合、複数のモバイル端末を所有するユーザーは、モバイル端末ごとに電話番号の契約をする必要があり、モバイル端末への課金は、モバイル端末ごとに個別に請求されてしまう。
【０００４】
特許文献１には、複数の端末に対して代表電話番号を設定すると共に、その複数の端末のそれぞれに固有電話番号を設定する電話番号設定方法が記載されている。
【０００５】
特許文献１に記載の電話番号設定方法では、複数の端末を所有するユーザーが、複数の端末のうち着信用に使用予定の端末（以下「着信用端末」と称する）の固有電話番号を、交換機に予め設定する。
【０００６】
交換機は、代表電話番号への呼要請があると、予め設定された着信用端末の固有電話番号に、呼信号を転送する。そして、複数の端末に対する課金は、代表電話番号に対する課金としてまとめられる。よって、特許文献１に記載の電話番号設定方法によれば、端末についての課金がモバイル端末ごとに個別に請求されるという問題を解決可能である。
【先行技術文献】
【特許文献】
【０００７】
【特許文献１】特開２００６−１２９４９１号公報
【発明の概要】
【発明が解決しようとする課題】
【０００８】
特許文献１には、複数の端末のユーザーが着信用端末の固有電話番号を交換機に設定するための具体的な手法は記載されていない。このため、例えば、複数の端末のユーザーが、移動通信サービスを提供している業者の窓口まで行き、その窓口で着信用端末の固有電話番号を交換機に設定する状況が考えられる。この場合、複数の端末のユーザーは、業者の窓口まで行く必要があり、着信用端末の設定を容易に行えないという課題があった。
【０００９】
本発明の目的は、上述した課題を解決可能な管理装置、端末装置、通信システム、送信先設定方法、送信先設定支援方法およびプログラムを提供することである。
【課題を解決するための手段】
【００１０】
本発明の管理装置は、複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信手段と、前記指示に示された送信先端末装置を前記送信先として設定する設定手段と、を含む。
【００１２】
本発明の通信システムは、上記管理装置と、前記指示を前記管理装置に送信する、前記複数の端末装置と異なる端末装置と、を含む。
【００１３】
本発明の送信先設定方法は、管理装置が行う送信先設定方法であって、複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信ステップと、前記指示に示された送信先端末装置を前記送信先として設定する設定ステップと、を含む。
【００１５】
本発明のプログラムは、コンピュータに、複数の端末装置に設定された電話番号を宛先とする呼およびＳＭＳ／ＭＭＳの送信先として、前記複数の端末装置と異なる端末装置から、前記複数の端末装置のうち前記送信先となる送信先端末装置を示した指示を受信する受信手順と、前記指示に示された送信先端末装置を前記送信先として設定する設定手順とを、前記コンピュータに実行させる。
【発明の効果】
【００１７】
本発明によれば、着信用端末として機能する送信先端末装置の設定を容易に行うことが可能になる。
【図面の簡単な説明】
【００１８】
【図１】本発明の一実施形態の通信システムを示した図である。
【図２】ユーザーＡ端末１０を示したブロック図である。
【図３】加入者情報サーバー４０を示したブロック図である。
【図４】情報テーブル４１Ａの一例を示した図である。
【図５】音声呼およびＳＭＳ／ＭＭＳの着信先の設定動作と、音声呼およびＳＭＳ／ＭＭＳの着信先への転送動作と、を説明するためのシーケンス図である。
【図６】ユーザーＡ端末１０とユーザーＡ端末２０の各々のデータ通信量の記録および総計処理を説明するためのシーケンス図である。
【図７】本発明の他の実施形態の通信システムを示した図である。
【発明を実施するための形態】
【００１９】
以下、本発明の一実施形態を図面を参照して説明する。
【００２０】
図１は、本発明の一実施形態の通信システムを示した図である。
【００２１】
図１において、通信システムは、ユーザーＡ端末１０と、ユーザーＡ端末２０と、ユーザーＢ端末３０と、加入者情報サーバー４０と、プロキシサーバー５０と、データ通信サーバー６０と、を含む。
【００２２】
ユーザーＡ端末１０と、ユーザーＡ端末２０と、ユーザーＢ端末３０と、加入者情報サーバー４０と、プロキシサーバー５０と、データ通信サーバー６０は、プログラム制御で動作し、ネットワークである携帯電話網７０やインターネット８０を介して相互に接続可能である。
【００２３】
ユーザーＡ端末１０とユーザーＡ端末２０は、一般的に端末装置または任意の端末装置と呼ぶことができる。ユーザーＡ端末１０とユーザーＡ端末２０は、携帯電話機能、ＳＭＳ（Short Message Service）／ＭＭＳ（Multimedia Messaging Service）機能、および、データ通信機能を有するモバイル端末であり、ユーザーＡに所有されている。
【００２４】
ユーザーＡ端末１０とユーザーＡ端末２０には、ユーザーＡに割り当てられた１つの電話番号Ｔが設定されている。
【００２５】
ユーザーＡ端末１０には、ユーザーＡ端末１０に固有の端末識別電話番号１０Ｔ（識別電話番号；ネットワーク上で自端末を一意に識別するための端末識別番号）と、ユーザーＡ端末１０に固有のデータ通信用のアドレス１０Ａ（ネットワーク上で自端末を一意に識別するためのアドレス）が、設定されている。
【００２６】
ユーザーＡ端末２０には、ユーザーＡ端末２０に固有の端末識別電話番号２０Ｔ（識別電話番号；ネットワーク上で自端末を一意に識別するための端末識別番号）と、ユーザーＡ端末２０に固有のデータ通信用のアドレス２０Ａ（ネットワーク上で自端末を一意に識別するためのアドレス）が、設定されている。
【００２７】
ユーザーＡ端末１０とユーザーＡ端末２０は、携帯電話機またはタブレット型端末等の情報処理装置であり、電話番号を用いることで、音声呼およびＳＭＳ／ＭＭＳを、携帯電話網７０を介してユーザーＢ端末３０に送信する機能と、ユーザーＢ端末３０からの音声呼およびＳＭＳ／ＭＭＳを、携帯電話網７０を介して着信する機能と、を備えている。
【００２８】
また、ユーザーＡ端末１０とユーザーＡ端末２０は、携帯電話網７０とプロキシサーバー５０とインターネット８０とを介してデータ通信サーバー６０とデータ通信をする機能を備えている。
【００２９】
図２は、ユーザーＡ端末１０を示したブロック図である。図２において、ユーザーＡ端末１０は、指示部１１を含む。
【００３０】
指示部１１は、一般的に指示手段と呼ぶことができる。指示部１１は、ユーザーＡに割り当てられた電話番号Ｔを宛先とする呼または情報の送信先となる送信先端末装置として自装置（ユーザＡ端末１０）を示した指示を、加入者情報サーバー４０に送信する。
【００３１】
指示部１１は、格納部１２と指示送信部１３とを含む。
【００３２】
格納部１２は、一般的に格納手段と呼ぶことができる。格納部１２は、端末識別電話番号１０Ｔとアドレス１０Ａとを格納する。
【００３３】
指示送信部１３は、一般的に指示送信手段と呼ぶことができる。指示送信部１３は、格納部１２内の端末識別電話番号１０Ｔを送信先端末装置の着呼番号として示した設定指示を、送信先端末装置を示した指示として、加入者情報サーバー４０に送信する。
【００３４】
指示送信部１３は、入力部１３ａと通信部１３ｂと制御部１３ｃとを含む。
【００３５】
入力部１３ａは、例えば、入力キーまたはタッチパネルである。入力部１３ａは、指示送信要求用の操作ボタンを有する。指示送信要求用の操作ボタンがユーザーＡにて操作されると、入力部１３ａは、ユーザーＡから指示送信要求を受け付ける。入力部１３ａは、指示送信要求を受け付けると、指示送信要求を制御部１３ｃに出力する。
【００３６】
通信部１３ｂは、携帯電話網７０を通して他の機器と通信する。
【００３７】
制御部１３ｃは、ユーザーＡ端末１０の動作、例えば、携帯電話機能、ＳＭＳ／ＭＭＳ機能、データ通信機能等の動作を制御する。また、制御部１３ｃは、入力部１３ａから指示送信要求を受け付けると、格納部１２から端末識別電話番号１０Ｔを読み出し、端末識別電話番号１０Ｔを送信先端末装置の着呼番号として示した設定指示を、通信部１３ｃから加入者情報サーバー４０に出力する。
【００３８】
なお、ユーザーＡ端末１０は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、指示部１１（格納部１２と指示送信部１３）として機能する。記録媒体は、ＣＤ−ＲＯＭに限らず適宜変更可能である。
【００３９】
図１に戻って、ユーザーＡ端末２０は、ユーザーＡ端末１０が有する構成を含む。なお、ユーザーＡ端末２０内の格納部１２は、端末識別電話番号１０Ｔとアドレス１０Ａの代わりに、端末識別電話番号２０Ｔとアドレス２０Ａを格納する。このため、ユーザーＡ端末２０についての説明は、上述したユーザーＡ端末１０の説明のうち、端末識別電話番号１０Ｔを端末識別電話番号２０Ｔと読み替え、アドレス１０Ａをアドレス２０Ａと読み替えることで行われる。
【００４０】
ユーザーＢ端末３０は、一般的に通信装置と呼ぶことができる。ユーザーＢ端末３０は、携帯電話機能およびＳＭＳ／ＭＭＳ機能を有し、ユーザーＢに所有されている。
【００４１】
ユーザーＢ端末３０は、携帯電話機またはタブレット型端末等の情報処理装置であり、電話番号を用いることで、音声呼およびＳＭＳ／ＭＭＳを、携帯電話網７０を介してユーザーＡ端末１０またはユーザーＡ端末２０に送信する機能と、ユーザーＡ端末１０またはユーザーＡ端末２０からの音声呼およびＳＭＳ／ＭＭＳを、携帯電話網７０を介して着信する機能と、を備えている。
【００４２】
加入者情報サーバー４０は、一般的に管理装置と呼ぶことができる。加入者情報サーバー４０は、ユーザーＡの電話番号Ｔを宛先とする呼または情報を送信した通信装置（例えば、ユーザーＢ端末３０）の接続先を設定する機能を有する。
【００４３】
加入者情報サーバー４０は、携帯電話網７０に設置されているサーバー等の情報処理装置であり、携帯電話加入者の電話番号、端末識別電話番号、音声呼およびＳＭＳ／ＭＭＳの着信先（送信先）、および、データ通信量等の情報を示す情報テーブル４１Ａを記憶する機能を備えている。
【００４４】
本実施形態では、加入者情報サーバー４０は、ユーザーＢ端末３０がユーザーＡの電話番号Ｔ宛てに発信した音声呼およびＳＭＳ／ＭＭＳを、事前に登録された情報テーブル４１Ａに基づいて、ユーザーＡ端末１０およびユーザーＡ端末２０のどちらに送信するかを識別する機能を備えている。
【００４５】
図３は、加入者情報サーバー４０を示したブロック図である。図３において、加入者情報サーバー４０は、記憶部４１と、通信部４２と、制御部４３と、を含む。
【００４６】
記憶部４１は、情報テーブル４１Ａを記憶する。
【００４７】
図４は、情報テーブル４１Ａの一例を示した図である。図４において、情報テーブル４１Ａには、携帯電話加入者の電話番号４１Ａ１と、端末識別電話番号４１Ａ２と、音声呼の着信先（送信先）４１Ａ３と、ＳＭＳ／ＭＭＳの着信先（送信先）４１Ａ４と、端末単位のデータ通信量４１Ａ５と、端末単位のアドレス４１Ａ６が、互いに関連づけて記憶される。
【００４８】
図３に戻って、通信部４２は、一般的に受信手段と呼ぶことができる。
【００４９】
通信部４２は、携帯電話網７０を通して他の機器と通信する。通信部４２は、例えば、任意の端末装置から設定指示を受信する。本実施形態では、通信部４２は、ユーザーＡ端末１０またはユーザーＡ端末２０から設定指示を受信する。通信部４２は、受信された設定指示を制御部４３に出力する。
【００５０】
制御部４３は、加入者情報サーバー４０の動作を制御する。制御部４３は、情報設定部４３ａと、通信制御部４３ｂと、処理部４３ｃと、を含む。
【００５１】
情報設定部４３ａは、通信部４２から設定指示を受け付けると、その設定指示に従って、記憶部４１内の情報テーブル４１Ａを更新する。
【００５２】
例えば、通信部４２からの設定指示が、送信先端末装置の着呼番号としてユーザーＡ端末１０の端末識別電話番号１０Ｔを示す場合、情報設定部４３ａは、情報テーブル４１Ａ内の端末識別電話番号１０Ｔに関連づけられた携帯電話加入者の電話番号４１Ａ１を特定し、その電話番号４１Ａ１に関連づけられた音声呼の着信先４１Ａ３およびＳＭＳ／ＭＭＳの着信先４１Ａとして、端末識別電話番号１０Ｔを設定する。
【００５３】
なお、情報設定部４３ａと記憶部４１は、設定部４４に含まれる。設定部４４は、一般的に設定手段と呼ぶことができる。
【００５４】
通信制御部４３ｂは、ユーザーＢ端末３０がユーザーＡの電話番号Ｔ宛てに発信した音声呼またはＳＭＳ／ＭＭＳを通信部４２が受け付けると、その音声呼またはＳＭＳ／ＭＭＳを、情報テーブル４１Ａ内の音声呼の着信先４１Ａ３およびＳＭＳ／ＭＭＳの着信先４１Ａ４に従って、通信部４２からユーザーＡ端末１０およびユーザーＡ端末２０のどちらに送信する。
【００５５】
処理部４３ｃは、一般的に処理手段と呼ぶことができる。処理部４３ｃは、ユーザーＡ端末１０およびユーザーＡ端末２０の各々のデータ通信量を測定する測定装置（本実施形態では、プロキシサーバー５０）から、ユーザーＡ端末１０およびユーザーＡ端末２０の各々のデータ通信量を取得し、各々のデータ通信量の総計を求める。
【００５６】
図１に戻って、プロキシサーバー５０は、携帯電話網７０を管理するキャリアにて所有され、携帯電話網７０に接続している装置（例えば、端末）をインターネット８０に接続する。また、プロキシサーバー５０は、ユーザーＡ端末１０およびユーザーＡ端末２０の各々のデータ通信量を測定する。
【００５７】
データ通信サーバー６０は、インターネット８０に設置されているサーバー等の情報処理装置であり、インターネット８０を介して端末とデータ通信する機能を備えている。
【００５８】
なお、加入者情報サーバー４０は、コンピュータにて実現されてもよい。この場合、コンピュータは、コンピュータにて読み取り可能なＣＤ−ＲＯＭのような記録媒体に記録されたプログラムを読込み実行して、記憶部４１、通信部４２および制御部４３として機能する。
【００５９】
次に、動作を説明する。
【００６０】
図５は、音声呼およびＳＭＳ／ＭＭＳの着信先の設定動作と、音声呼およびＳＭＳ／ＭＭＳの着信先への転送動作と、を説明するためのシーケンス図である。
【００６１】
まず、ユーザーＡ端末１０が、ユーザーＡ端末１０内の入力部１３ａでユーザーＡから指示送信要求を受け付けると、ユーザーＡ端末１０内の指示送信部１３は、電話番号Ｔを宛先とする音声呼およびＳＭＳ／ＭＭＳの送信先の着呼番号として端末識別電話番号１０Ｔを示した設定指示を、加入者情報サーバー４０へ送信する（ステップＡ１）。
【００６２】
これに応答して、加入者情報サーバー４０では、情報設定部４３ａが、ユーザーＡの電話番号Ｔに対する音声呼およびＳＭＳ／ＭＭＳの着信先として、ユーザーＡ端末１０の端末識別電話番号１０Ｔを記憶部４１内の情報テーブル４１Ａに記憶する（ステップＡ２）。その後、情報設定部４３ａは、ユーザーＡの電話番号Ｔに対する音声呼およびＳＭＳ／ＭＭＳの着信先の登録が完了したことを示す完了通知をユーザーＡ端末１０に送信する。
【００６３】
次に、ユーザーＢ端末３０が、音声呼またはＳＭＳ／ＭＭＳをユーザーＡの電話番号Ｔ宛てに発信すると（ステップＡ３）、これに呼応して、加入者情報サーバー４０内の通信制御部４３ｂは、情報テーブル４１Ａを参照して、記憶していた端末識別電話番号１０Ｔを用いて、ユーザーＡ端末１０へ着信を通知し（ステップＡ４）、着信を受けたユーザーＡ端末１０は着信処理を行う（ステップＡ５）。
【００６４】
さらに、ユーザーＡ端末２０が、ユーザーＡ端末２０内の入力部１３ａでユーザーＡから指示送信要求を受け付けると、ユーザーＡ端末２０内の指示送信部１３は、電話番号Ｔを宛先とする音声呼およびＳＭＳ／ＭＭＳの送信先の着呼番号として端末識別電話番号２０Ｔを示した設定指示を、加入者情報サーバー４０へ送信する（ステップＡ６）。
【００６５】
これに応答して、加入者情報サーバー４０では、情報設定部４３ａが、ユーザーＡの電話番号Ｔに対する音声呼およびＳＭＳ／ＭＭＳの着信先として、ユーザーＡ端末１０の端末識別番号１０Ｔに替えてユーザーＡ端末２０の端末識別番号２０Ｔを、記憶部４１内の情報テーブル４１Ａに記憶する（ステップＡ７）。その後、情報設定部４３ａは、ユーザーＡの電話番号Ｔに対する音声呼およびＳＭＳ／ＭＭＳの着信先の登録が完了したことを示す完了通知をユーザーＡ端末２０に送信する。
【００６６】
次に、ユーザーＢ端末３０が、音声呼またはＳＭＳ／ＭＭＳをユーザーＡの電話番号Ｔ宛てに発信すると（ステップＡ８）、これに呼応して、加入者情報サーバー４０内の通信制御部４３ｂは、情報テーブル４１Ａを参照して、記憶していた端末識別番号２０Ｔを用いて、ユーザーＡ端末２０へ着信を通知し（ステップＡ９）、着信を受けたユーザーＡ端末２０は着信処理を行う（ステップＡ１０）。
【００６７】
図６は、ユーザーＡ端末１０とユーザーＡ端末２０の各々のデータ通信量の記録および総計処理を説明するためのシーケンス図である。
【００６８】
ユーザーＡ端末１０が、プロキシサーバー５０を介してデータ通信サーバー６０に対してデータ通信を行うと（ステップＢ１）、プロキシサーバー５０は、ユーザーＡ端末１０のデータ通信量を計測する。そして、加入者情報サーバー４０では、処理部４３ｃが、ユーザーＡ端末１０のデータ通信量をプロキシサーバー５０から取得し、そのデータ量をユーザーＡ端末１０の端末識別電話番号１０Ｔと紐付けて記憶部４１内の情報テーブル４１Ａに記憶する（ステップＢ２）。
【００６９】
次に、ユーザーＡ端末２０が、プロキシサーバー５０を介してデータ通信サーバー６０に対してデータ通信を行うと（ステップＢ３）、プロキシサーバー５０は、ユーザーＡ端末２０のデータ通信量を計測する。そして、加入者情報サーバー４０では、処理部４３ｃが、ユーザーＡ端末２０のデータ通信量をプロキシサーバー５０から取得し、そのデータ量をユーザーＡ端末２０の端末識別電話番号２０Ｔと紐付けて記憶部４１内の情報テーブル４１Ａに記憶する（ステップＢ４）。
【００７０】
そして、加入者情報サーバー４０では、処理部４３ｃは、月末等の課金締め日に、同一の携帯電話加入者の電話番号Ｔで紐付けされたユーザーＡ端末１０のデータ通信量とユーザーＡ端末２０の通信量との合算処理を行い（ステップＢ５）、合算処理結果に従ってユーザーＡへの費用請求処理を行う（ステップＢ６）。
【００７１】
本実施形態によれば、加入者情報サーバー４０では、通信部４２が、任意の端末装置から、送信先端末装置を示した指示を受信し、設定部４４が、その指示に示された送信先端末装置を、電話番号Ｔを宛先とする呼または情報の送信先として設定する。このため、端末装置を用いて、送信先端末装置を設定することが可能となる。よって、着信用端末として機能する送信先端末装置の設定を容易に行うことが可能になる。なお、この効果は、通信部４２と設定部４４とからなる加入者情報サーバー４０でも奏する。図７は、通信部４２と設定部４４とからなる加入者情報サーバー４０を示した図である。
【００７２】
また、処理部４３ｃは、プロキシサーバー５０から、ユーザーＡ端末１０とユーザーＡ端末２０の各々のデータ通信量を取得し、各々のデータ通信量の総計を求める。このため、ユーザーＡ端末１０のデータ通信量とユーザーＡ端末２０のデータ通信量とに対する課金をまとめて行うことが可能になる。
【００７３】
本実施形態では、ユーザーＡ端末１０とユーザーＡ端末２０の各々は、送信先端末装置として自装置を示した指示を加入者情報サーバー４０に送信する指示部１１を有する。このため、送信先端末装置になり得る端末から、送信先端末装置を指定する指示を送信することが可能になる。
【００７４】
また、ユーザーＡ端末１０とユーザーＡ端末２０の各々では、指示送信部１３は、送信先端末装置の着呼番号として格納部１２内の端末識別電話番号を示した設定指示を加入者情報サーバー４０に送信する。この場合、ユーザーＡは、端末識別電話番号を入力する必要が無くなり、端末識別電話番号の入力ミスにて送信先端末装置を設定できなくなるという問題を解決することが可能になる。
【００７５】
なお、指示送信部１３は、送信先端末装置の着呼番号としてユーザーＡから入力された端末識別電話番号を示した設定指示を加入者情報サーバー４０に送信してもよい。この場合、指示送信部１３は、ユーザーＡ端末１０ともユーザーＡ端末２０とも異なる端末装置（任意の端末装置）に設けられてもよい。
【００７６】
また、本実施形態によれば、ユーザーは、複数のモバイル端末を所有していても一つの電話番号で音声呼およびＳＭＳ／ＭＭＳを適当な端末で受信することができるという効果を奏する。
【００７７】
また、ユーザーが複数のモバイル端末からデータ通信を行っても一つの電話番号として課金処理することができるため、毎月の基本料金が１つの電話番号分で済み、ユーザーの通信費用を削減する効果がある。
【００７８】
さらに、本実施形態によれば、複数のモバイル端末の所有が容易になるため、モバイル端末のＴＰＯに合わせた多様化が進み、市場が活性化する効果も見込まれる。
【００７９】
なお、上記実施形態では、端末装置としてユーザー端末が用いられたが、端末装置は、ユーザー端末に限るものではなく、例えば、携帯電話機、スマートフォン、または、ＰＤＡ（personal digital assistants）でもよい。
【００８０】
また、上記実施形態では、管理装置として加入者情報サーバーが用いられたが、管理装置は、加入者情報サーバーに限るものではなく、例えば、交換機またはＰＢＸ（private branch exchange）でもよい。
【００８１】
また、上記実施形態では、プロキシサーバー５０が、ユーザーＡ端末１０のデータ通信量とユーザーＡ端末２０のデータ通信量を測定する測定装置の機能を有していたが、測定装置の機能を有する装置は、プロキシサーバー５０に限るものではなく、例えば、加入者情報サーバー４０でもよいし、キャリアの料金管理サーバーでもよいし、データ通信量をモニタするモニタサーバーでもよい。なお、測定装置の機能を有する装置は、ユーザーＡ端末１０およびユーザーＡ端末２０と、データ通信サーバー６０の間に設けられる。
【００８２】
また、データ通信サーバー６０は、携帯電話網７０内に設けられてもよい。
【００８３】
以上説明した実施形態において、図示した構成は単なる一例であって、本発明はその構成に限定されるものではない。
【符号の説明】
【００８４】
１０、２０  ユーザーＡ端末
１１        指示部
１２        格納部
１３        指示送信部
１３ａ      入力部
１３ｂ      通信部
１３ｃ      制御部
３０        ユーザーＢ端末
４０        加入者情報サーバー
４１        記憶部
４２        通信部
４３        制御部
４３ａ      情報設定部
４３ｂ      通信制御部
４３ｃ      処理部
４４        設定部
５０        プロキシサーバー
６０        データ通信サーバー
【図１】
0005857411.tif 000002
【図２】
0005857411.tif 000003
【図３】
0005857411.tif 000004
【図４】
0005857411.tif 000005
【図５】
0005857411.tif 000006
【図６】
0005857411.tif 000007
【図７】
0005857411.tif 000008